(57)【要約】【課題】  電気的特性を乱すことなく調整が行え、小型化できると共に調整用穴を不要とする。【解決手段】  同軸共振器１０の中心導体１４が形成されている貫通孔の開放端側にトリマーコンデンサ１２が嵌着されている。トリマーコンデンサ１２のステータ側には細い接続ピン１２ｂが設けられており、この接続ピン１２ｂが入出力端子間を結ぶストリップ線路２１に接続されている。トリマーコンデンサ１２のロータ側は貫通孔内に配置されて、ロータ側に設けられているトリマーコンデンサ１２の容量を調整する調整ネジ部を、貫通孔内に下から挿入されたドライバにより回転できるようになる。【選択図】  図１
2005268881.tif 000002
【特許請求の範囲】
【請求項１】
ほぼ中心に貫通孔が形成されている誘電体の該貫通孔内に形成されている中心導体と、該誘電体の外周面に形成されて前記中心導体とで同軸構造を構成する外導体と、該誘電体の底面に形成されて前記中心導体を前記外導体に短絡する短絡導体とを有する同軸共振器と、
ステータ側が入出力間を結ぶ伝送線路に接続され、ロータ側が前記同軸共振器の貫通孔内の上部に固着されて前記中心導体に接続されているトリマーコンデンサとを備え、
前記トリマーコンデンサの容量は前記ロータ側に設けられた調整ネジを回転させることにより調整できるようにされており、前記トリマーコンデンサが前記貫通孔内に固着された際に前記調整ネジが前記貫通孔内に臨むようになって、前記底面側から前記貫通孔内に挿入した調整手段により前記調整ネジを回転できるようになされていることを特徴とする帯域阻止型フィルタ。
【請求項２】
前記トリマーコンデンサには、前記伝送線路に接続される接続ピンが前記ステータ側の上部に備えられていると共に、前記貫通孔内に形成されている前記中心導体の上部に接触するよう下側に折曲された複数枚の弾性を有する接続板が前記ロータ側に設けられ、前記調整ネジが前記ロータ側の下端に設けられていることを特徴とする請求項１記載の帯域阻止型フィルタ。
【発明の詳細な説明】
【技術分野】
【０００１】
本発明は、ＴＥＭ（Transverse Electromagnetic）モードの帯域阻止型フィルタに関するものである。
【背景技術】
【０００２】
従来のＴＥＭモードの帯域阻止型フィルタの一例の構成を図１１および図１２に示す。但し、図１１は帯域阻止型フィルタの構成を示す断面図であり、図１２は帯域阻止型フィルタの構成を示す平面図である。
これらの図に示すＴＥＭモードの帯域阻止型フィルタ１０１は、フィルタケースで構成されるシールド部１２３上に配置されているプリント基板１２０上に形成された入力端子と出力端子とを結ぶストリップ線路１２１と、トリマーコンデンサ１１２と同軸共振器１１０とから構成されている。トリマーコンデンサ１１２の調整ネジ部１１２ｄが設けられているロータ側はストリップ線路２１にネジ止めされて電気的かつ機械的に接続されている。トリマーコンデンサ１１２のステータ側には折曲された複数枚の接触片を備える接続板１１２ａが設けられており、同軸共振器１１０のほぼ中心に形成されている貫通孔内に嵌挿されている。この貫通孔内には、同軸共振器１１０を構成する中心導体１１４が形成されており、接続板１１２ａは中心導体１１４の上部に接続されるようになる。なお、同軸共振器１１０の外周面には同軸構造の外導体１１３が形成されており、外導体１１３と中心導体１１４とが同軸共振器１１０の下面に形成された短絡導体１１５により短絡されている。また、同軸共振器１１０の上端の周囲に形成されている外導体１１３が接続された鍔部１０２はシールド部１２３にアースされている。
【発明の開示】
【発明が解決しようとする課題】
【０００３】
従来の帯域阻止型フィルタ１０１において、プリント基板１２０上に形成されているアース部１２２は、プリント基板１２０をシールド部１２３に固着するネジおよびアース部１２２に設けられているスルーホールによりシールド部１２３に電気的に接続されている。アース部１２２に囲まれてストリップ線路１２１が形成されており、このストリップ線路１２１とトリマーコンデンサ１１２の接続部分は、プリント基板１２０上のストリップ線路１２１上にあるが、トリマーコンデンサ１１２のロータ側を固定しなければならないため、トリマーコンデンサ１１２を固着する締め付け用ナットがストリップ線路１２１上に配置されるようになる。このため、図１２に示すようにストリップ線路１２１の幅を広げた上で取り付け用の大きな穴をあける必要がある。これらの影響により、電気的には浮遊容量が増加するようになり帯域阻止型フィルタ１０１の特性が劣化するようになると共に、プリント基板１２０の小型化にも制約を受けるという問題点があった。
【０００４】
また、このような帯域阻止型フィルタ１０１の共振周波数調整を行う際には、トリマーコンデンサ１１２のロータ側の調整ネジ部１１２ｄにドライバーを当てて回転させる作業を行うが、電気的にはストリップ線路１２１に金属製であるドライバーが直接触れることになるので、その影響を受けて電気特性が大きく乱れ、正確且つ迅速な作業を行う上での障害になるという問題点があった。これを軽減するために特殊な絶縁製のドライバーを使用することも考えられるが、この場合には絶縁性とすることからドライバーの破損や消耗が激しくなると共に、ストリップ線路１２１上の作業であることには変わりがないため、電気特性の乱れも完全には解消出来ないようになる。さらに、共振周波数調整をストリップ線路１２１上のトリマーコンデンサ１１２で行うため、作業上の必要からプリント基板１２０を露出した状態にするか、プリント基板１２０を覆うシールドケースにドライバーを挿入するための調整用の穴を設ける必要がある。つまり、周波数調整後にシールドケースの蓋を閉めるか、あるいは調整用穴を異物混入と不要輻射防止のため塞ぐ必要があるという問題点があった。
【０００５】
そこで、本発明は電気的特性を乱すことなく調整が行え、小型化できると共に調整用穴を不要とした帯域阻止型フィルタを提供することを目的としている。
【課題を解決するための手段】
【０００６】
上記目的を達成するために、本発明の帯域阻止型フィルタは、ステータ側が入出力間を結ぶ伝送線路に接続され、ロータ側が同軸共振器の貫通孔内に固着されて中心導体の上部に接続されているトリマーコンデンサを備え、ロータ側の調整ネジにより容量調整を行うようにしたことを最も主要な特徴としている。
【発明の効果】
【０００７】
本発明によれば、トリマーコンデンサのステータ側が入出力間を結ぶ伝送線路に接続され、ロータ側が同軸共振器の貫通孔内に固着されて中心導体の上部に接続され、ロータ側の調整ネジにより容量調整を行うようにしたことから、ステータ側が接続される伝送線路の幅を広げたり大きな穴をあける必要がなくなる。また、トリマーコンデンサのロータ側は貫通孔内の中心導体の内面に接続されるため、ドライバーの金属部分が調整ネジに接触しても電気的な影響がなく正確かつ迅速に調整作業を行うことができる。これは、中心導体の内面には、理論的に高周波電流が流れないためである。さらに、調整用のドライバーは、貫通孔内に短絡導体側から挿入されるので、調整後にシールドケースの蓋をする等の後工程作業を不要とすることができ、シールドケースに調整用の穴を設ける必要もなくなることから、調整用の穴からの不要轄射も抑制することができる。
【発明を実施するための最良の形態】
【０００８】
電気的特性を乱すことなく調整が行え、小型化できると共に調整用穴を不要とした帯域阻止型フィルタを提供するという目的を、トリマーコンデンサのステータ側が入出力間を結ぶ伝送線路に接続され、ロータ側が同軸共振器の貫通孔内に固着されて中心導体の上部に接続され、ロータ側の調整ネジにより容量調整を行うようにすることで実現した。
【０００９】
本発明の帯域阻止型フィルタの実施例の構成を断面図で図１に示し、本発明の帯域阻止型フィルタの構成を示す平面図を図２に示す。
これらの図に示す本発明の実施例の帯域阻止型フィルタ１は、ＴＥＭモードの帯域阻止型フィルタとされ、フィルタケースで構成されるシールド部２３上に配置されているプリント基板２０上に形成された入力端子と出力端子とを結ぶストリップ線路２１と、トリマーコンデンサ１２と同軸共振器１０とから構成されている。トリマーコンデンサ１２の接続ピン１２ｂが設けられているステータ側はストリップ線路２１にハンダ付け等により電気的に接続されている。トリマーコンデンサ１２のステータ側には折曲された複数枚の接触片を備える接続板１２ａが設けられており、同軸共振器１０のほぼ中心に形成されている貫通孔内に嵌挿されている。この貫通孔内には、同軸共振器１０を構成する中心導体１４が形成されており、接続板１２ａは中心導体１４の開放側である上端に接続されるようになる。
【００１０】
同軸共振器１０は、ほぼ中心にそって貫通孔が形成されている誘電体の外周面と、下面と貫通孔の内面に蒸着や貼着等により金属膜が形成されている。そして、誘電体の外周面に形成された金属膜により同軸構造の外導体１３が構成され、誘電体の貫通孔内に形成された金属膜により同軸構造の中心導体１４が構成される。さらに、誘電体の下面に形成された金属膜により外導体１３と中心導体１４とを短絡する短絡導体１５が形成される。このように、一端が短絡され他端が開放された同軸構造によりＴＥＭモードの同軸共振器１０が構成されている。なお、同軸共振器１０の上端の周囲に形成されている外導体１３が電気的に接続された鍔部２はフィルタケースで構成されるシールド部２３にアースされている。
【００１１】
本発明の帯域阻止型フィルタ１の等価回路を図３に示す。図３に示すように入力端子ＩＮと出力端子ＯＵＴとはストリップ線路２１により接続されており、ストリップ線路２１にトリマーコンデンサ１２を介して一端がアースされた同軸共振器１０が接続されるようになる。この帯域阻止型フィルタ１において、入力端子ＩＮから入力された信号の内の同軸共振器１０に共振する周波数成分は同軸共振器１０を通過してアースされるようになり、その他の周波数成分は同軸共振器１０で反射されて出力端子ＯＵＴから出力されるようになる。これにより、同軸共振器１０が共振する周波数成分のみが除去された信号が出力端子ＯＵＴから出力されるようになる。これにより、帯域阻止型フィルタ１が実現される。同軸共振器１０の共振周波数はトリマーコンデンサ１２により調整することができる。
【００１２】
本発明の帯域阻止型フィルタ１において、図２に示すようにプリント基板２０上に形成されているアース部２２は、プリント基板２０をシールド部２３に固着するネジおよびアース部２２に設けられているスルーホールによりフィルタケースで構成されるシールド部２３に電気的に接続されている。また、アース部２２に囲まれてストリップ線路２１が形成されており、このストリップ線路２１とトリマーコンデンサ１２の接続部分は、プリント基板２０上のストリップ線路２１上にあるが、トリマーコンデンサ１２のステータ側の細い接続ピン１２ｂを固定すればよいため、ストリップ線路２１上には小さい穴を設ければよいことになる。このため、ストリップ線路２１の幅を広げたり取り付け用の大きな穴をあける必要はなくなる。このように、ストリップ線路２１の幅を所定のインピーダンスが得られる一定の幅とすることができることから浮遊容量が増加することがなく、帯域阻止型フィルタ１の電気的特性が劣化することを防止することができる。また、プリント基板２０を小型化することができるようになる。
【００１３】
このような帯域阻止型フィルタ１の共振周波数調整を行う際に、トリマーコンデンサ１２のロータ側の調整ネジ部１２ｄにドライバーを当てて回転させる作業を行うが、トリマーコンデンサ１２のロータ側は貫通孔内に形成されている中心導体１４の内面に接続されているため、ドライバーの金属部分がトリマーコンデンサ１２の調整ネジに接触しても電気的な影響がなく正確かつ迅速に調整作業を行うことができる。これは、中心導体１４の内面には、理論的に高周波電流が流れないためである。なお、トリマーコンデンサ１２を調整する調整用のドライバーは、貫通孔内に短絡導体１５側から挿入されるので、調整後にプリント基板２０をシールドしているシールドケースの蓋をする等の後工程作業を不要とすることができる。さらに、シールドケースに調整用の穴を設ける必要もなくなることから、調整用の穴からの不要轄射も抑制することができる。
【００１４】
次に、同軸共振器１０の詳細構成を図４ないし図６に示す。但し、図４は同軸共振器１０の構成を示す正面図であり、図５は同軸共振器１０の構成を示す平面図であり、図６は同軸共振器１０の構成を示す底面図である。
これらの図に示すように、同軸共振器１０は、ほぼ中心にそって貫通孔が形成されている誘電体１１の外周面に蒸着や貼着等により金属膜が形成されて同軸構造の外導体１３が構成されている。また、誘電体１１の貫通孔の内面に蒸着や貼着等により金属膜が形成されて同軸構造の中心導体１４が構成されている。さらに、誘電体１１の下面に蒸着や貼着等により金属膜が形成されて、外導体１３と中心導体１４とを短絡する短絡導体１５が形成されている。誘電体１１の上面は開放されており、一端が短絡された同軸構造により同軸共振器１０は構成されている。また、誘電体１１の開放されている側の上端の周囲に矩形の鍔部２が設けられており、この鍔部２は外導体１３に電気的に接続されている。
【００１５】
この同軸共振器１０の貫通孔の開放端側にトリマーコンデンサ１２が嵌着されて、トリマーコンデンサ１２により同軸共振器１０の共振周波数を調整できるようにされている。トリマーコンデンサ１２の詳細構成を図７ないし図１０に示す。但し、図７はトリマーコンデンサ１２の構成を示す正面図であり、図８はトリマーコンデンサ１２の構成を接続板の一部を切り取って示す示す正面図であり、図９はトリマーコンデンサ１２の構成を示す平面図であり、図１０はトリマーコンデンサ１２の構成を示す底面図である。
これらの図に示すように、トリマーコンデンサ１２は上側がステータ側とされてストリップ線路２１に接続するための細い接続ピン１２ｂが設けられており、誘電体１２ｃを介して下側がロータ側とされている。ロータ側にはリン青銅等の弾性を有する金属板を加工した接続板１２ａが設けられている。この接続板１２ａには、例えば８枚に分割された接触片１２ｇが形成されており、この接触片１２ｇは下側に向けて先端同士が開くように屈曲されている。これにより、接触片１２ｇが同軸共振器１０の貫通孔内に挿入された際に、接触片１２ｇが貫通孔内に弾性的に保持されて、貫通孔内に形成されている中心導体１４に確実に接続されるようになる。また、ロータ側の下端にはネジ部１２ｆが形成されており、このネジ部１２ｆに取付ネジ１２ｅを螺着することにより接続板１２ａがトリマーコンデンサ１２のロータ側に固着されている。このネジ部１２ｆ内には調整ネジ部１２ｄが設けられており、調整ネジ部１２ｄを回転することによりトリマーコンデンサ１２の容量を調整することができるようにされている。
【００１６】
また、図示されていないがプリント基板２０はフィルタケースで構成されるシールド部２３によりシールドされており、プリント基板２０におけるアース部２２がシールド部２３に電気的に接続されている。そして、上述した構成のトリマーコンデンサ１２が同軸共振器１０の貫通孔を閉塞するように貫通孔内に嵌着されている。これにより、貫通孔を介してのシールドケース内への異物混入の恐れはなくなる。また、トリマーコンデンサ１２はストリップ線路２１側からの不要輻射のシールドも兼ねており、中心導体１４の内側には高周波電流が流れないことから貫通孔のシールドを不要とすることができる。さらに、帯域阻止型フィルタ１の共振周波数を微調整する必要が生じても、帯域阻止型フィルタ１の一部を分解するなどの特段の手を加えることなく、同軸共振器１０の貫通孔内にドライバー等の調整手段を挿入して調整ネジ部１２ｄを回転させることにより外部より簡単に調整作業を行うことができるようになる。
【産業上の利用可能性】
【００１７】
なお、以上の説明では帯域阻止型フィルタとしたが、本発明は、これに限るものではなく同軸共振器や同軸共振器を用いる他のフィルタに適用することができる。
【図面の簡単な説明】
【００１８】
【図１】本発明の帯域阻止型フィルタの実施例の構成を示す断面図である。
【図２】本発明の帯域阻止型フィルタの実施例の構成を示す平面図である。
【図３】本発明の実施例の帯域阻止型フィルタの等価回路を示す回路図である。
【図４】本発明の帯域阻止型フィルタにおける同軸共振器の構成を示す正面図である。
【図５】本発明の帯域阻止型フィルタにおける同軸共振器の構成を示す平面図である。
【図６】本発明の帯域阻止型フィルタにおける同軸共振器の構成を示す底面図である。
【図７】本発明の帯域阻止型フィルタにおけるトリマーコンデンサの構成を示す正面図である。
【図８】本発明の帯域阻止型フィルタにおけるトリマーコンデンサの構成を接続板の一部を切り取って示す正面図である。
【図９】本発明の帯域阻止型フィルタにおけるトリマーコンデンサの構成を示す平面図である。
【図１０】本発明の帯域阻止型フィルタにおけるトリマーコンデンサの構成を示す底面図である。
【図１１】従来の帯域阻止型フィルタの構成を示す断面図である。
【図１２】従来の帯域阻止型フィルタの構成を示す平面図である。
【符号の説明】
【００１９】
１  帯域阻止型フィルタ、２  鍔部、１０  同軸共振器、１１  誘電体、１２  トリマーコンデンサ、１２ａ  接続板、１２ｂ  接続ピン、１２ｃ  誘電体、１２ｄ  調整ネジ部、１２ｅ  取付ネジ、１２ｆ  ネジ部、１２ｇ  接触片、１３  外導体、１４  中心導体、１５  短絡導体、２０  プリント基板、２１  ストリップ線路、２２  アース部、２３  シールド部、１０１  帯域阻止型フィルタ、１０２  鍔部、１１０  同軸共振器、１１２  トリマーコンデンサ、１１２ａ  接続板、１１２ｄ  調整ネジ部、１１３  外導体、１１４  中心導体、１１５  短絡導体、１２０  プリント基板、１２１  ストリップ線路、１２２  アース部、１２３  シールド部
【図１】
2005268881.tif 000003
【図２】
2005268881.tif 000004
【図３】
2005268881.tif 000005
【図４】
2005268881.tif 000006
【図５】
2005268881.tif 000007
【図６】
2005268881.tif 000008
【図７】
2005268881.tif 000009
【図８】
2005268881.tif 000010
【図９】
2005268881.tif 000011
【図１０】
2005268881.tif 000012
【図１１】
2005268881.tif 000013
【図１２】
2005268881.tif 000014